(57)【要約】【課題】全光ネットワークにおいてネットワークを効率的に運用することを可能とする光クロスコネクト装置を提供すること。【解決手段】ネットワーク内に波長パスによるフルメッシュトポロジを形成することによりクライアントの宛先アドレスと波長とを一意に対応付ける。すなわち全てのクライアント機器に対して波長パスを固定的に割り当てることができる。また光クロスコネクト装置が光スイッチ１，２を備えているため、クライアント間を結ぶ経路において波長が変化することは構わない。要するに、各光クロスコネクト装置において宛先アドレスと波長との対応関係を固定的に設定することが可能になる。そうして、アドレスと波長との対応関係を各光クロスコネクト装置においてモニタし、宛先アドレスに応じた波長を選択することで、外部機器に頼ることなくパケット信号を高速で伝送することが可能になる。【選択図】      図１
2006080894.tif 000002
【特許請求の範囲】
【請求項１】
光信号をトランスペアレントに伝送する複数のノードを備える全光ネットワークに用いられ、クライアントインタフェースから導入されるパケット信号をスイッチングする光クロスコネクト装置において、
前記複数のノードを論理的にフルメッシュトポロジに接続する波長チャネルを前記全光ネットワーク上に設定する波長チャネル設定手段と、
受信したパケット信号の送出元アドレスを取得する送出元アドレス取得手段と、
前記送出元アドレスと前記受信したパケット信号の受信波長とを対応付けた対応表を生成して記憶するテーブル生成手段と、
前記クライアントインタフェースから導入されるパケット信号の宛先アドレスを取得する宛先アドレス取得手段と、
前記クライアントインタフェースから導入されるパケット信号を、前記対応表に基づき前記宛先アドレスに対応する波長チャネルにスイッチングするチャネル選択手段とを具備することを特徴とする光クロスコネクト装置。
【請求項２】
前記パケット信号はイーサネット（登録商標）フレームであり、
前記送出元アドレスおよび前記宛先アドレスは、ＭＡＣ（Media Access Control）アドレスであることを特徴とする請求項１に記載の光クロスコネクト装置。
【発明の詳細な説明】
【技術分野】
【０００１】
本発明は、光信号をノードにおいて電気信号に変換することなく光のままトランスペアレントに伝送するネットワーク（全光ネットワーク）に用いられる光クロスコネクト装置に関する。
【背景技術】
【０００２】
近年の情報伝送システムでは、複数のノードをリンクを介して適宜接続して不規則なトポロジを持つネットワークを形成することが多い。特に、物理的なトポロジはシステム増設や回線容量の変化などに応じて比較的短期間のうちに変化する。この種の伝送システムの中で、光信号をノードにおいて電気信号に変換すること無く光のまま、トランスペアレントに伝送するネットワークが近年注目されている。この種のネットワークは全光ネットワークと称され、リンク上に複数の論理的な帯域を設けることができる。
【０００３】
全光ネットワークのクライアントインタフェースに入力される信号は、イーサネット（登録商標：以下（Ｒ））信号のようなパケット信号が代表的である。これに対し光クロスコネクト装置に備わる光スイッチの応答速度はパケットのフレーム間隔に比べて遅いため、パケットの伝送パスを予め設定しておく必要があると考えられている。
【０００４】
しかしながらこのようなアーキテクチャでは、光ネットワーク上に張られるパスは固定的になる。このためパケットフレームを所用のディスティネーションに到達させるためには、パケット転送のための装置を別途設ける必要が生じ、ネットワークの効率的な運用が妨げられる。
【０００５】
関連する技術が下記特許文献１に開示される。しかしながらこの文献に記載の技術は、パケットベースのトラフィックが常時変動するシステムを想定するものではない。
【特許文献１】特開２００２−１０１４３２号公報
【発明の開示】
【発明が解決しようとする課題】
【０００６】
上記したように既存の全光ネットワークにおいて、パケットベースのトラフィックを取り扱う場合においては、光スイッチの応答速度が遅いことから固定的なパスを設定せざるを得ない。このためネットワークの効率的な運用が妨げられる虞がある。  
本発明は上記事情によりなされたもので、その目的は、全光ネットワークにおいてネットワークを効率的に運用することを可能とする光クロスコネクト装置を提供することにある。
【課題を解決するための手段】
【０００７】
上記目的を達成するために本発明の一態様によれば、光信号をトランスペアレントに伝送する複数のノードを備える全光ネットワークに用いられ、クライアントインタフェースから導入されるパケット信号をスイッチングする光クロスコネクト装置において、前記複数のノードを論理的にフルメッシュトポロジに接続する波長チャネルを前記全光ネットワーク上に設定する波長チャネル設定手段と、受信したパケット信号の送出元アドレスを取得する送出元アドレス取得手段と、前記送出元アドレスと前記受信したパケット信号の受信波長とを対応付けた対応表を生成して記憶するテーブル生成手段と、前記クライアントインタフェースから導入されるパケット信号の宛先アドレスを取得する宛先アドレス取得手段と、前記クライアントインタフェースから導入されるパケット信号を、前記対応表に基づき前記宛先アドレスに対応する波長チャネルにスイッチングするチャネル選択手段とを具備することを特徴とする光クロスコネクト装置が提供される。
【０００８】
このような手段を講じることにより、波長パスによりネットワーク内にフルメッシュトポロジの通信経路が設定される。これにより波長とノードアドレスとを一意に対応付けることができる。そうして、パケット信号が受信されるごとにその送出元アドレスが読みとられ、この送出元アドレスと受信波長との対応表が作成される。それ以降は、この対応表に基づいて、転送すべきパケット信号を送出する波長チャネルを選択することができる。従って、外部に転送のための機構を設けることなく効率的にパケット信号を伝送することが可能になる。
【発明の効果】
【０００９】
本発明によれば、全光ネットワークにおいてネットワークを効率的に運用することを可能とする光クロスコネクト装置を提供することができる。
【発明を実施するための最良の形態】
【００１０】
図１は、本発明に係わる光クロスコネクト装置の実施の形態を示す機能ブロック図である。この光クロスコネクトは全光ネットワーク内に複数設けられ、波長多重光を伝送する光ファイバを介して、隣接するクロスコネクト装置に接続される。光ファイバは図１の光スイッチ（ＳＷ）１，２に、ＷＤＭ（波長多重分離装置）を介して接続される。波長多重される各波長光λ１，λ２，…，λｎには、イーサネット（Ｒ）フレームなどのパケット信号が多重される。
【００１１】
図１の光クロスコネクト装置は光波長変換機能を備えず、信号伝送のための波長パスはソースノードからディスティネーションノードまでを同じ波長で設定される。特に、光クロスコネクト装置の内部における信号交換部分は光スイッチにより構成される。  
光スイッチ２（受信側）を介して装置内に導入される各波長光は、光セレクタ３に入力される。光セレクタ３から出力される波長光に含まれるイーサネット（Ｒ）フレームは、その送出元アドレス（ソースアドレス：ＳＡ）が読み取られる。一方、ＬＡＮ（Local Area Network）のレイヤ２スイッチ（Ｌ２ＳＷ）１００などのクライアントインタフェースを介して装置内部に導入されるイーサネット（Ｒ）フレームは、光セレクタ４に入力される。またこのイーサネット（Ｒ）フレームの宛先アドレス（デスティネーションアドレス：ＤＡ）は、モニタ部５により読み取られて制御部６に通知される。制御部６は宛先アドレスと使用波長との対応関係をテーブル化し、記憶部７の管理テーブル７ａに記憶させる。制御部６は管理テーブル７ａの内容に基づいて光セレクタ４を切り替え、送出先のチャネル波長を選択する。
【００１２】
図２は、図１の制御部６の機能を示す機能ブロック図である。制御部６は本実施形態に係わる処理機能として波長チャネル設定部６ａと、アドレス取得部６ｂと、テーブル生成処理部６ｃと、チャネル選択部６ｄとを備える。  
波長チャネル設定部６ａは、ネットワーク内の他の光クロスコネクト装置と連携して、波長チャネル（波長パス）による論理的なフルメッシュトポロジをネットワーク内に形成する。これは、複数の光クロスコネクト装置が互いに情報を授受し会い、光セレクタ３，４および光スイッチ１，２を制御することにより実現される。
【００１３】
アドレス取得部６ｂは、受信したイーサネット（Ｒ）フレームのＭＡＣアドレスを解析し、その送出元アドレスを取得する。またアドレス取得部６ｂは、クライアントインタフェースから導入されるイーサネット（Ｒ）フレームのＭＡＣアドレスを解析し、その宛先アドレスを取得する。  
テーブル生成処理部６ｃは、受信したイーサネット（Ｒ）フレームの受信波長とその送出元アドレスとから、送信波長と宛先アドレスとの対応関係を解析して管理テーブル７ａを生成する。チャネル選択部６ｄは管理テーブル７ａの内容に基づき光セレクタ４を制御して、クライアントインタフェースから導入されるイーサネット（Ｒ）フレームそのを宛先アドレスに対応する波長チャネルにスイッチングする。
【００１４】
図３は、図１の管理テーブル７ａの内容を示す模式図である。図示するように、管理テーブル７ａには宛先アドレスと、これに対応する波長とが一対一に対応付けられて記憶される。宛先アドレスはクライアント機器のＭＡＣアドレスであり、ネットワーク内において一意に定められるアドレスである。ネットワークに接続されるクライアント機器が変更されるごとに管理テーブル７ａの内容も自動的に更新される。
【００１５】
上記構成によれば、ネットワーク内に波長パスによるフルメッシュトポロジを形成することによりクライアントの宛先アドレスと波長とを一意に対応付けることが可能になる。すなわち全てのクライアント機器に対して波長パスを固定的に割り当てることができる。また光クロスコネクト装置が光スイッチ１，２を備えているため、クライアント間を結ぶ経路において波長が変化することは構わない。要するに、各光クロスコネクト装置において宛先アドレスと波長との対応関係を固定的に設定することが可能になるために、高速のスイッチング処理が不要となる。そうして、アドレスと波長との対応関係を各光クロスコネクト装置においてモニタし、宛先アドレスに応じた波長を選択することで、外部機器に頼ることなく高速のパケット信号を伝送することが可能になる。これらのことから、全光ネットワークにおいてネットワークを効率的に運用することを可能とする光クロスコネクト装置を提供することが可能となる。
【００１６】
なお、本発明は上記実施の形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１７】
【図１】本発明に係わる光クロスコネクト装置の実施の形態を示す機能ブロック図。
【図２】図１の制御部６の機能を示す機能ブロック図。
【図３】図１の管理テーブル７ａの内容を示す模式図。
【符号の説明】
【００１８】
１，２…光スイッチ、３，４…光セレクタ、４…制御部、５…モニタ部、６…制御部、６ａ…波長チャネル設定部、６ｂ…アドレス取得部、６ｃ…テーブル生成処理部、６ｄ…チャネル選択部、７…記憶部、７ａ…管理テーブル、１００…レイヤ２スイッチ
【図１】
2006080894.tif 000003
【図２】
2006080894.tif 000004
【図３】
2006080894.tif 000005